(57)【特許請求の範囲】
【請求項１】
ベッドから患者を動かすことなく、ベッドに横たわる患者を洗浄するための手段を備えたベッドであって、該ベッドは、土台に固定して取り付けられる複数の膨張式クッション、及び患者を洗浄する手段を備え、患者を洗浄する手段は、患者の背中に沿って移動可能な窪み部（３１）の上に取り付けられた回転ブラシ（３２）を含むブラシと窪み部のアセンブリを備え、前記ベッドは更に、膨張式クッション（１１）の大部分が患者の身体（２）を支持し、その一方で幾つかのクッションが回転ブラシを備えた窪み部を与えるように、窪み部（３１）の下に位置する膨張式クッション（１１）の一部を部分的に収縮させる手段を備える、ベッド。
【請求項２】
膨張式クッションの少なくとも１つは、水と石鹸をベッドから下に流すのを可能にするために、その上に作られる１以上の排水通路を備え；土台は平面であり；上に膨張式クッションを取り付けた土台は、ベッドの上にマットレスを形成する、ことを特徴とする請求項１に記載のベッド。
【請求項３】
各クッションは、その上に膨張インレットと収縮アウトレットを備える、ことを特徴とする請求項１又は２に記載のベッド。
【請求項４】
各クッションは、クッションを膨張及び収縮させるために使用可能なアウトレットを備える、ことを特徴とする請求項１又は２に記載のベッド。
【請求項５】
各クッションのために、クッションと加圧空気のソースとの間にあるチューブに取り付けられたバルブを更に備える、請求項４に記載のベッド。
【請求項６】
各バルブは、第１状態と第２状態からなる２つの状態を備え、第１状態において、クッションアウトレットは加圧空気のソースに接続され、第２状態において、クッションアウトレットは加圧空気のソースから切り離され、アウトレットは周囲空気に繋がれる、ことを特徴とする請求項５に記載のベッド。
【請求項７】
回転ブラシと窪み部は、ベッドの２つの側に取り付けられた一対のレールに沿って、患者の背中に沿って移動可能であり、及び、前記ベッドは、患者の身体に水及び／又は石鹸をつける手段を更に備えており、水及び／又は石鹸をつける手段は、ブラシ及び窪み部と共に患者の身体に沿って移動可能であり、窪み部は、患者の身体につけられる水と石鹸の排出を可能にするために穿孔される、ことを特徴とする請求項１又は２に記載のベッド。
【請求項８】
清潔な水用のリザーバと排泄物リザーバとを更に備える、請求項１又は２に記載のベッド。
【請求項９】
病院内に位置付けられる、清潔な水と排泄物用のアウトレットに接続する手段を更に備える、請求項１又は２に記載のベッド。
【請求項１０】
患者を洗浄する手段は、足と大腿それぞれの内側側部、鼠径部、あばら、及び腋の下を含む、患者の前部と側部を洗浄するために使用される回転ブラシを備える、ことを特徴とする請求項１又は２に記載のベッド。
【請求項１１】
患者の身体とマットレスを乾燥させる手段を更に備える、請求項１又は２に記載のベッド。
【請求項１２】
使用されたシーツを取り外して清潔なシーツに交換する手段を含む、土台に固定して取り付けられる複数の膨張式クッションを備える、ベッド。
【請求項１３】
土台に固定して取り付けられる複数の膨張式クッションを備え、患者がベッドの下に位置する排泄物リザーバに排便することを可能にする手段を更に備える、ベッド。
【請求項１４】
排便後に患者の背中を清潔にする手段を更に備える、請求項１又は２に記載のベッド。
【発明の詳細な説明】
【技術分野】
【０００１】
＜背景＞
本出願は、２０１３年１２月２２日にイスラエルで出願された特許出願第２３００８４号の優先権を主張する。
【０００２】
＜技術分野＞
本発明は、患者洗浄装置、より具体的には、横たわる患者を洗浄するための手段を含むベッドに関するものである。
【０００３】
＜関連技術の記載＞
ベッドに横たわる障害者は、深刻な衛生問題、即ち、どのようにして自身の身体を清潔に保つかという問題に直面する。この問題は、病院、介護施設、老人ホーム、又はその老人の自宅において、高齢者、老人患者、身障者などにも共有される。身体の清潔さは、ヒトの健康とヒトの尊厳に大きく影響する。
【０００４】
本発明者は、末期疾患中の自身の両親を処置する中で、この問題に気づくようになり；本発明者は、患者の体重、患者の身体の状態、患者の健康状態、患者の心理状態など様々な理由により、個人衛生が病院と老人ホームにおいて大きな問題であることを見出した。
【０００５】
患者を洗浄施設へ連れて行き、必要とされるような頻繁な間隔で洗浄を行うことは、難しい場合もある。障害者のための先行技術の施設における、これら及び他の問題が、本発明により対処される。
【発明の概要】
【０００６】
本発明は、ベッドから患者を動かすことなく、ベッドに横たわる患者を洗浄するための手段を備えたベッドを含む。
【０００７】
本発明の１つの態様に従い、ベッドは、洗浄水と石鹸がベッドから下へ流れることを可能にするために上に排水通路が作られている、複数のクッションで作られている。更に、各クッションは膨張式であり、その上に膨張インレットと収縮アウトレットを含む。
【０００８】
本発明の別の態様に従い、ベッドは、ベッドに面している患者の身体部分である、患者の下半身を洗浄するための手段を含む。これらの手段は、共通土台の上に取り付けられた複数の膨張式クッションで作られたマットレス、患者の背中（ｂａｃｋ）に沿って移動可能な回転ブラシ、及び、回転ブラシとマットレスの間に位置する窪み部（ｔｒｏｕｇｈ）を備えている。本発明のまた別の態様に従い、ベッドは、窪み部の下に位置するクッションの一部を部分的に収縮させる手段を備えている；故に、クッションの大部分は患者の身体を支持し、その一方で幾つかのクッションは回転ブラシを備えた窪み部を与える（ｇｉｖｅ  ｗａｙ  ｔｏ）。
【０００９】
清潔な水と排泄物（ｗａｓｔｅ）用のリザーバがベッドの下に位置付けられてもよく、又は、ベッドは病院内にある適切なアウトレットに接続されてもよい。
【００１０】
本発明のまた別の態様に従い、付加的な回転ブラシが、更なるケアを必要とする部位に重点を置いて、患者の前部と側部を洗浄するために使用される。
【００１１】
更に、ベッドは、患者の身体とマットレスを乾燥する手段；使用済みのシーツを外して清潔なシーツと交換する手段；患者がベッドの上ではなく排泄物リザーバに排便することを可能にする手段；及び、排便後に患者の背中（ｂｅｈｉｎｄ）を清潔にする手段を備えている。
【００１２】
本発明の更なる目的と利点は、本開示及び関連する図面を解釈した後、当業者に明白となる。
【図面の簡単な説明】
【００１３】
本発明の実施形態は、図面に対する参照と共に以下に開示される：
【図１Ａ】患者のベッドの平面図を示す。
【図１Ｂ】患者のベッドの側面図を示す。
【図２Ａ】患者のベッド用のクッションの１つの実施形態を示す。
【図２Ｂ】患者のベッド用のクッションの１つの実施形態を示す。
【図３】ベッドの上で患者を洗浄する手段を備える、患者のベッドを示す。
【図４】ベッドの上で患者を洗浄する手段を備える、患者のベッドを示す。
【図５】水と液体石鹸の供給部を備える、洗浄手段を示す。
【図６】クッションの膨張のためのシステムを示す。
【図７】水の供給部及び回収部を備えるベッドを示す。
【図８】患者の身体を洗浄するための重要な場所を示す。
【図９】患者の身体の頂部と側部を洗浄する手段を備えたベッドを示す。
【図１０】患者の身体の頂部と側部を洗浄する手段を示す。
【図１１】カバーと、患者の身体の頂部と側部を洗浄する手段とを示す。
【図１２】膨張式クッションと側部プロテクタを備えた、ベッドの下層部分を示す。
【図１３】膨張式クッションと排泄物用開口部とを備えた、ベッドの下層部分を示す。
【図１４】ベッドの上部が直立位置にある、ベッドの下層部分を示す。
【図１５】ベッドの上部が水平位置にある、ベッドの下層部分を示す。
【図１６】膨張式クッションと、排泄物用開口部により起動するシリンダとを備えた、ベッドの下層部分を示す。
【図１７】排泄物用開口部を起動する手段を備えた、ベッドの下層部分を示す。
【図１８】ベッドの下層部分の側面図を示す。
【図１９】患者の身体の上部を洗浄する手段を示す。
【図２０】患者の身体の上部を洗浄する手段を示す。
【図２１】直立位置にあるベッドと、開口状態にある排泄物用開口部とを示す。
【図２２】水平位置にあるベッドと、開口状態にある排泄物用開口部とを示す。
【図２３】水平位置にあるベッドと、開口状態にある排泄物用開口部との断面図を示す。
【図２４】水平位置にあるベッドと、開口状態にある排泄物用開口部との平面図を示す。
【図２５】クッションが無い状態の、クッションが取り付けられるベッドのシャーシを示す。
【図２６】クッションが無い状態の、クッションが取り付けられるベッドのシャーシの側面図を示す。
【図２７】ベッドのシャーシの平面図を示す。
【図２８】ベッドの中のクッション上を移動する窪み部を示す。
【図２９】膨張した状態のクッションの等角図／平面図を示す。
【図３０】クッションの側面図を示す。
【図３１】クッションの平面図を示す。
【図３２】クッションの等角図／底面図を示す。
【図３３】膨張した状態の３部分からなるクッションの断面側面図を示す。
【図３４】収縮した状態の３部分からなるクッションの断面側面図を示す。
【発明を実施するための形態】
【００１４】
本発明は、例として、且つ添付の図面を参照するとともに、ここに記載される。図１Ａと１Ｂを参照すると、患者のベッド（１）の平面図と側面図がそれぞれ記載されており、本発明は、患者をベッドから動かすことなく、ベッドに横たわる患者を洗浄する手段を伴うベッド（１）を備える。ベッド（１）は、全てが真下のベースプレート（１２）の上に固定して取り付けられる複数のクッション（１１）と、排泄物回収リザーバ（１３）とを備える。
【００１５】
各クッション（１１）は、ベッドの表面からリザーバ（１３）へと水と石鹸を流すための１以上のチャネル（１１２）を持つ。故に、ベッド（１）は、洗浄水と石鹸がベッドから下へ流れることを可能にするために上に排水通路（１１２）が作られている、複数のクッション（１１）で作られている。更に、各クッションは膨張式であり、その上に膨張インレットと収縮アウトレットを含む。
【００１６】
図２Ａと図２Ｂは、患者のベッド用のクッション（１１）の２つの実施形態を示す。各クッション（１１）は、水と石鹸を流すための１以上のチャネル（１１２）を備えており、それは、図示されるようなクッションの側部に沿って作られてもよい。各クッションは更に、膨張インレット（１１３）と収縮アウトレット（１１４）とを含んでもよい。好ましくは、各クッションは全体的に、各側部が５〜１０センチメートル（ｃｍ）である立方体として形作られ；他の寸法が使用されてもよい。
【００１７】
本発明の別の態様に従い、ベッド（１）は、ベッドに面している患者の身体部分である、患者の下半身（２）を洗浄するための手段を備えている。
【００１８】
これらの手段は、共通土台の上に取り付けられた複数の膨張式クッション（１１）で作られたマットレス、患者の背中に沿って移動可能な回転ブラシ（３２）、及び、回転ブラシとマットレスの間に位置する窪み部（３１）を備えている。
【００１９】
本発明のまた別の態様に従い、ベッド（１）は、窪み部（３１）の下に位置するクッション（１１）の一部を部分的に収縮させる手段を備えている；故に、クッション（１１）の大部分は患者の身体（２）を支持し、その一方で幾つかのクッションは回転ブラシを備えた窪み部を与える。
【００２０】
図３と図４は、ベッドの上で患者を洗浄する手段を備える、患者のベッドを示す。患者（２）がベッド（１）に横たわっていると、膨張式クッション（１１）は、快適さのために患者の身体の全体形状をとり；更に、窪み部（３１）の上に取り付けられた円筒形状の回転ブラシ（３２）があり；ブラシと窪み部のアセンブリは、患者の背中に沿って背中を洗浄し得る。ブラシと窪み部がベッドに沿って動かされると、窪み部の下で一時的に位置付けられるクッションは、圧迫されたクッション（１１Ａ）、（１１Ｂ）で示されるように、押し下げられてもよい。身体は、圧迫されていないクッションに支持される。
【００２１】
更に、クッションは、クッション（１１Ｃ）で示されるように、特定の姿勢にある患者の身体に適合するように上昇してもよい。クッション（１１）はベースプレート（１２）に取り付けられる。窪み部（３１）には、窪み部からチャネル（１１２）を通り排泄物回収リザーバ（１３）へと、水と石鹸を流すための穴部（３１２）がある。
【００２２】
水と液体石鹸の供給部は、患者を洗浄するためにブラシ（３１）に接続される。ブラシと窪み部は、クッション（１１）の高さにそれらの高さを適応させるために、弾性の溝に沿って移動してもよい。
【００２３】
図５は、水と液体石鹸の供給部を備えた洗浄手段を示し、それは、水インレット（３２１）と液体石鹸インレット（３２２）とを備える回転ブラシ（３２）を含む。故に、ブラシ（３２）が患者の体に沿って動くと、患者を洗浄するように回転し、一方で水と石鹸が洗浄のために供給される。
【００２４】
図６は、クッションの膨張のためのシステムを示す。クッション（１１）は患者の身体を支持し、一方で圧迫されたクッション（１１Ａ）、（１１Ｂ）は、上にある窪み部（３１）の通過を可能にする。マイクロコンピュータ（４７）が、各クッション（１１）の状態を制御するために使用されてもよく；各クッションは、加圧空気供給アキュムレータ（４１）に接続される膨張バルブ（４３）を起動することにより、個々に膨張されてもよい。
【００２５】
クッションは、その対応する収縮バルブ（４２）の起動により、マイクロコンピュータ管理の下で収縮されてもよい。窪み部位置センサ（４６）が、マイクロコンピュータに窪み部（３１）の一時的な位置を報告するために使用されてもよく、そのため、マイクロコンピュータは、どのクッションを収縮させるべきかを把握し；そして、窪み部が別の位置に移動すると、再びクッションを膨張させる。そして、このプロセスは、窪み部が移動するにつれて、繰り返される。
【００２６】
清潔な水と排泄物用のリザーバはベッドの下に位置付けられてもよく；又は、ベッドは、病院内にある適切なアウトレットに接続されてもよい。図７は、水が供給され且つ回収されるベッドを示す。故に、洗浄装置は、清潔な水用のリザーバ（１８）と排泄物回収リザーバ（１９）とを備えてもよい。
【００２７】
本発明のまた別の態様に従い、付加的な回転ブラシが、更なるケアを必要とする部位に重点を置いて、患者の前部と側部を洗浄するために使用される。図８は、患者の身体（２）を洗浄するための重要な場所（２３）を示す。本発明は、その部位に到達するのがより困難な人に、より多くの注意を払うための手段を備えている。
【００２８】
図９は、患者の身体の頂部と側部を洗浄する手段を備えたベッドを示す。ベッド（１）は、その端部の１つに取り付けられた、折り畳み可能な透明カバー（５１）を備えてもよく；カバーは、水と石鹸がベッドの外側に漏れないように、患者を洗浄する際に患者の身体を覆うように拡張されてもよい。折り畳み状態において、カバー（５１）は患者の邪魔をせず；洗浄中、看護人はカバー（５１）の透明表面を介して洗浄工程を眺めてもよい。
【００２９】
ブラシ（５２１）、（５３１）、（５４１）、（５５１）は、ベッドに沿って動く一方、それらは、それぞれのレール又は溝（５２）、（５３）、（５４）、（５５）に取り付けられる。
【００３０】
図１０は、患者の身体の頂部と側部を洗浄する手段の側面図を示す。患者（２）が横たわっているベッド（１）は、モータ（５２２）、（５５２）により回転するブラシ（５２１）（５５１）を有する。モータは空気式でも電気式でもよい。好ましくは、非電気的な回動手段が、患者の感電死の危険性を防ぐために使用される。
【００３１】
図１１は、カバーと、患者の身体の頂部と側部を洗浄する手段とを示す。透明カバー（５１）を伴うベッド（１）はまた、上記に詳述されるようなブラシ（５２１）、（５５１）を有する。
【００３２】
更に、ベッドは、患者の身体とマットレスを乾燥する手段；使用済みのシーツを外して清潔なシーツと交換する手段；患者がベッドの上ではなく排泄物リザーバに排便することを可能にする手段；及び、排便後に患者の背中を清潔にする手段を備えてもよい。患者がベッド上でではなく排泄物リザーバに排便することを可能にする手段は、マットレスを通って排泄物リザーバへと下る通路を形成するように、患者の背中の近くに位置付けられる隣接したクッションを分離するために、患者の制御下で起動される膨張式リングを備えてもよい。
【００３３】
リザーバは、このプロセス中では自動的に開放され、その後、空気中の悪臭を防ぐために再び閉じられるカバーを含んでもよい。
【００３４】
排便後に患者の背中を清潔にする手段は、排便後にベッドの下から持ち上げる手段を備えた回転ブラシを含んでもよく；適切な水と石鹸の供給部は、効率的に患者を洗浄するために使用されてもよい。
【００３５】
図１２は、膨張式クッション（１１）と側部プロテクタ（１４）とを備えた、ベッド（１）の下層部分を示す。
【００３６】
＜患者の背中の洗浄＞
複数のクッションが、マットレスを形成するように二次元構造で互いに隣接して取り付けられる。各クッションに、中にバルーンを含有する望遠鏡式構造がある。このクッションは、バルーンが膨張すると、バルーンが望遠鏡式部分を押し開くように考案されている。好ましくは、３つの望遠鏡式部分がある。好ましくは、バルーンは、弾性特性と耐摩耗性があるポリマー材料で作られる。
【００３７】
空気ホースが、（床面の方に位置付けられる、ベッドの下層部分にある）バルーンの土台に接続される。バルーンを膨張させると、バルーンは、上下に動くシリンダと同様、３つの望遠鏡式部分を上昇させる。全てのバルーンに対する全てのエアホースが、アキュムレータ（ベッドシステム用に一定の気圧を生成する、内ダイヤフラムを備えた圧力リザーバ）に接続される。このリザーバは、一定の気圧を生成するコンプレッサに接続される。故に、全てのクッションは一定の内圧である。
【００３８】
バルブが、各クッションに通じるホースに接続される。バルブの第１の状態において、アキュムレータからの気圧が、クッションに接続され；バルブの第２の状態において、クッションは気圧から切り離され、クッションから気圧を解放するために、周囲空気への経路が作り出される。故に、各クッションに割り当てられたバルブを制御することにより、クッションを膨張又は収縮させることが可能となる。この構造の１つの用途は、患者の身体を支持するためにクッションの大部分を使用し、その一方で身体の幾つかの部分を意図的に支持しないままにすることである。この機能は、患者の身体の特定の部分（床ずれ又は創傷など）に対する圧力を防ぐのに有用かもしれない。
【００３９】
随意に、各クッションの上部には化学物質感知式検出器が設置され、これは、創傷に適用される特定の化学物質に敏感である。故に、クッションが患者の身体にある創傷と接触すると、検出器はこのクッションを収縮させることになる。これは、患者の身体の創傷を感知する、適応性のあるマットレスを実現し；患者の身体に褥瘡がある部分はマットレスから支持されず、故にマットレスに一種の穴部が作られる。
【００４０】
全てのクッションは、一定の予め定められた圧力にあり；圧力がクッションの１つに加えられると、アキュムレータにおけるダイヤフラムは、指定された気圧を維持するために移動するか、又は縮むことになる。
【００４１】
マットレスの土台は、ハチの巣状の立方体で作られており、各立方体が１つのクッションの土台を含む。クッションが収縮すると、その望遠鏡式部分は、のクッションの立方体部分に侵入する。
【００４２】
クッションの土台の底部において、クッションと空気供給チューブとの間に接続部がある。各クッションは、マットレスの土台にあるその指定の位置に、固定して付けられる。好ましくは、各クッションの総合高さは約２００ミリメートル（ｍｍ）であり、ここで、その約５０ｍｍが、前記支持立方体に挿入される。
【００４３】
＜窪み部＞
窪み部は、ハーフパイプ（その断面が半円である円筒状部）であり、それは、窪み部に蓄積される水を排出するように穿孔される。窪み部の１つの端部は、水又は石鹸を噴霧する、穿孔されたチューブに接続される。窪み部の２つの端部は、ベッドの長さに及ぶ２つのトラックに取り付けられる。窪み部の対称軸はベッドの長さに垂直であり、そのため、窪み部はベッドの幅に及ぶ。このシステムは、任意の与えられた瞬間に窪み部の下にあるクッションを収縮させ、そして、窪み部が別の場所に移動した瞬間に再びクッションを膨張させるように、考案される。
【００４４】
別の実施形態において、窪み部によりクッションに圧力が加えられ、それにより、その位置にあるクッションは、窪み部がこれらクッションの上に位置する間に縮む（その高さが低くなる）。
【００４５】
故に、ブラシは常に患者の身体に接することになる。窪み部はベッドに沿って動き、ここで、クッションに対する窪み部の圧力はクッションを収縮させ、故に窪み部の高さ（ｌｅｖｅｌ）はマットレスの高さよりも下である。
【００４６】
窪み部は常に、洗浄されている患者の身体の約５０ｍｍ下にある。窪み部において、両側にヒンジで付けられるブラシ（ローラ）が設置され、これらの軸は、窪み部の端部に設置されたクラッチに接続される（その役割については後述する）。
【００４７】
窪み部は洗浄されている患者の身体の下のベッドに沿って移動し、窪み部の端に設置される穿孔チューブが水又は石鹸を撒き散らして、洗浄されている身体との摩擦によりブラシが回転する。身体及びブラシの方への水又は石鹸の流れは、機械的清浄化のために摩擦を作り出す。
【００４８】
＜ブラシの束（Ｓｔａｃｋ）＞
ベッドの縁（ベッドの底部、又はその上にある）には、カートリッジが設置されており、そこには好ましくは、ブラッシング用のスポンジの２つのシリンダ、拭き取りと乾燥用の２本のタオル、及び２巻きのベッドシーツを含む、６つのシリンダがある。任意の動作の終了後、そして窪み部がベッドの縁に到達すると、窪み部の両側にあるクラッチが開き、窪み部に設置されたシリンダは、使用されたロールトレーに流れ込む。
【００４９】
単調な行為が、患者を石鹸で洗い洗浄する場合に接続されるロールスポンジで行われる。このロールは、患者の身体を回転させて拭き取る、タオルロールに取って代えられる。上記に詳述された２つのプロセスの終わりに、窪み部はシーツを丸めるように接続し、それにより患者の身体の下にある新しいシーツを広げる。
【００５０】
新しいシーツをかける工程の終わりに、シーツを丸める動作を行うと、窪み部は（患者の頭部の下にある）ベッドの端部に到達し、その格納位置へと下に移動して、別のコマンドが与えられるまで（即ち、マットレスからシーツを外す必要がある状況まで）留まる。
【００５１】
各ロールの端部に、摩擦ディスクを備えた軸が接続される。ロール軸は、窪み部の一方の側に位置付けられたクラッチに挿入される。クラッチは各々、摩擦ディスクも備える。窪み部の上に取り付けられた摩擦ディスクは、ロールディスクの方にディスクを押し出すバネを備えており、これにより、結果としてこれらの部品は、その間に生じる最大の摩擦により１つのユニットになる。
【００５２】
窪み部がその格納位置に到達すると、その側にあるクラッチが開いて、ロールが流れ込み、そこでは、使用される次のロールとは反対側に窪み部が置かれる。新しいロールが適所にあると、クラッチは、来るべき動作のために次のロールを保持するように閉じる。
【００５３】
図１３は、膨張式クッション（１１）と排泄物用開口部又は間隙（１５）とを備えた、ベッド（１）の下層部分を示す。
【００５４】
＜排泄物排出開口部＞
マットレスとベッドの土台は２つの部分に分けられ、それらは、ピストンに接続される軸に接続される。適切なコマンドを与えると、ベッドの１つのセクションが上昇し、患者の上半身を座位で支持することになる。
【００５５】
上昇しないマットレスの半分の端部（臀部のあるセクション）には、患者のコマンドに応答してベッドから分離され又は接続される、立方体状のクッションがある。分離されると、この立方体は下に且つ横に移動し；故に、患者の臀部が位置する場所で、マットレスに間隙が形成される。間隙の下には、排泄物回収リザーバが見える。
【００５６】
同じシリンダが、間隙を覆う立方体を移動させるため、且つ排泄物リザーバを持ち上げるために使用されてもよい。患者が排便する必要がある場合、患者はボタンを押す。すると、臀部とマットレスの間にシーツが無くなるように、シーツロールは患者の足の方に移動し；マットレスにある間隙が開いて、排泄物リザーバが間隙に近づけられる。患者の排泄物は、マットレスにある間隙を介して、排泄物リザーバ又は容器に落ちる。排泄が終了すると、患者は、終了を示すためにボタンを押す。排泄物リザーバは下に移動して、そのカバーが部屋の悪臭を防ぐために空気を通さないように前記リザーバを密閉する。
【００５７】
排泄物リザーバの内部の開口部には、排便の終わりに患者の臀部と直腸に圧力下で水を噴霧する、スプレーチューブがある。マットレスにある間隙が閉じる。シーツロールは患者の頭部に移動し、シーツが再びかけられる。
【００５８】
図１４は、ベッド（１）の上部（１６）が直立位置にある、ベッド（１）の下層部分を示す。ベッドの上部（１６）は、シリンダ（１６１）を使用して、（座位に）上昇、又は（就寝位置に）下降されてもよい。ベッドは更に、排泄物用開口部により起動するシリンダ（１５１）を備える。
【００５９】
図１５は、ベッド（１）の上部（１６）が水平位置にある、ベッド（１）の下層部分を示す。
【００６０】
図１６は、膨張式クッション（１１）と、排泄物用開口部（間隙）により起動するシリンダ（１５１）とを備えた、ベッド（１）の下層部分を示す。図示されるような状態で、排泄物用開口部により起動するシリンダ（１５１）は引き込まれ、故にカバー（１５２）がレール（１５３）に沿って下に移動する。
【００６１】
図１７は、排泄物用開口部を起動する手段を備えた、ベッド（１）の下層部分を示す。これらの手段は、排泄物用開口部を起動するレール（１５３）、ベッドの上部（１６）、及びベッドシリンダの上部（１６１）を含んでもよい。
【００６２】
更に、排泄物回収容器又はリザーバ（６）が図示される。窪み部は、窪み部用のレール（３１１）によりガイドされるベッドの長さに沿って移動してもよい。
【００６３】
図１８は、ベッド（１）の下層部分の側面図を示す。排泄物用開口部を起動するレール（１５３）、排泄物回収リザーバ（６）、及び窪み部用のレール（３１１）が示される。
【００６４】
図１９は、患者の身体の上部を洗浄する手段を示す。ブラシ（５２１）とギア付き球体（ｇｅａｒｅｄ  ｓｐｈｅｒｅ）（５２４）を備えたベッド（１）が示される。球体（５２４）は、ブラシが患者の身体と接触するよう下降される場合にのみ、ブラシが回転することを可能にする。患者がブラシを押しのけると、球体によりブラシの回転移動が止められる。更に、クラッチ（５２５）が示される。
【００６５】
図２０は、患者の身体の上部を洗浄する手段を示し、該手段は次のものを含む：
ベッド（１）
窪み部（３１）
窪み部用のレール（３１１）
クラッチ（５２５）
側部プロテクタ（１４）
排泄物回収リザーバ（６）
ベッドシリンダの上部（１６１）
及び、排泄部用開口部により起動するシリンダ（１５１）。
【００６６】
＜給水タンク＞
ベッドの底には、ホイールの上に位置する２つの容器がある。糞尿用容器はベッドの下に移動され得、そこでは前記容器は２つのレールに取り付けられる。患者が排便及び／又は排尿している場合、レールは容器の上にロックされ、そして、マットレスにある底部休憩位置或いは間隙の近くにある位置の何れかで、予め定めた経路に沿ったレールの動作が可能となる。
【００６７】
清潔な水用の容器は、ベッドの下にある位置に設けられ（ｂｒｏｕｇｈｔ  ｔｏ）、システム中の清潔な水用パイプに接続され、そして電気接続される。清潔な水用の装置（ｉｎｓｔａｌｌａｔｉｏｎ）には、コマンドに応じて変更可能な圧力を備えた水ポンプがある。オンラインで取り付けられた水用ヒータが、水を加熱することができる。
【００６８】
随意に、凝結蒸気から生成された水が集められ、容器に戻され得る。故に、水の追加のチューブは、ベッドに設置されるブロワと共に、患者の周囲に形成される凝結水（清潔な水である）用の容器に戻る。
【００６９】
現存の水及び下水用の基礎設備にベッドを接続し、故に容器を保護することが、可能である。
【００７０】
＜患者の前部の洗浄＞
ベッドの側部には、ベッドの長さに及んで、各側部に２つのロッドが設置され、ここで、１つの側部は別の側部よりも短い。これらのロッド間には、ねじ山が刻設された螺旋状ロッドがある。２つのロッドは、円形ロッドに沿って移動するギアに接続され、該ギアを介してねじ山が刻設されたロッドに接触する。４つのブラシがベッドに沿って移動し、それにより生成される動作は、直線運動と回転運動の両方を同時に含んでいる。
【００７１】
患者の上部の側部、及び患者の量側部から上部の一部の洗浄は、各々が患者の身体の半分を覆う、２本の円筒状ブラシ（ローラ）を動かすことにより、遂行される。ブラシは、上記に詳述されるようなロッド上でベッドに沿って移動する。ポールの底部には、ベッドに沿って螺旋状ネジがあり、それは回転すると、ポールの上に設置されるギアを駆動させ、ブラシに２つの動作（軸上での回転、同様にベッドに沿った動作）を同時に行わせる。
【００７２】
ギアは、患者が何らかの理由で上に押したり押しのけたりする場合に、ブラシが回転を止めるように、考案される。故に、ローラーは患者の身体に接する場合にのみ回転することになる。ギアは、患者の身体の上部表面よりも低く、それ故、ベッドの２つの側部にある円筒状ブラシは移動し、その一方でそれらは傾斜した位置にある。円筒状ブラシは、各々が互いに対して、適度に重なった状態で（ｗｉｔｈ  ａ  ｍｅａｓｕｒｅ  ｏｆ  ｏｖｅｒｌａｐ）患者の身体を覆う。
【００７３】
＜小型の上部ブラシ＞
それらの役割は、足と大腿の内側、鼠径部と腋の下を洗浄することである。小型のブラシは、ベッドの側部に沿ってより高いロッドに接続されたギアに接続される。合わせて、これらのブラシはＶ字形状を形成する。
【００７４】
ベッドに沿って移動する間、これらのブラシは足と大腿の内側側部にブラシをかけ；鼠径部に到達すると、反対動作により、ブラシは持ち上がり、そして、患者の身体の側部に沿って、腋の下の方へあばらにブラシをかけ続けることになる。腋の下の動作に対する抵抗は、ブラシを持ち上げ、ベッドの縁に戻すことになる。
【００７５】
＜上部カバー＞
洗浄工程の最初に、患者の身体を首まで覆うようにして、カバーが患者の上にある。このカバーは、洗浄中に患者のプライバシーを保護し、周辺領域での水はねと噴霧を防ぐ。そこには、洗浄中に生成される水蒸気を取り除くために、ブロワが設置されてもよい。
【００７６】
図２１は、直立位置にあるベッド（１）と、開口状態にある排泄物用開口部（１５）とを示す。また、ベッドの上部（１６）も示される。
【００７７】
図２２は、水平位置にあるベッド（１）と、開口状態にある排泄物用開口部（１５）とを示す。また、ベッドの上部（１６）も示される。
【００７８】
図２３は、水平位置にあるベッド（１）と、開口状態にある排泄物用開口部（１５）との断面図を示す。
【００７９】
図２４は、水平位置にあるベッド（１）と、開口状態にある排泄物用開口部（１５）との平面図を示す。
【００８０】
図２５は、クッションが無い状態の、クッションが取り付けられるベッド（１）のシャーシ又は土台、及び排泄物用開口部（１５）を示す。患者の身体を快適に支持する様に考案された、ベッドシャーシの湾曲に注意されたい。
【００８１】
図２６は、クッションが無い状態の、クッションが取り付けられるベッドのシャーシの側面図を示す。
【００８２】
図２７は、ベッドのシャーシの平面図を示す。
【００８３】
図２８は、ベッドの中のクッション（１１）上を移動する窪み部（３１）を示す。また、クラッチ（５２５）も示される。
【００８４】
図２９は、膨張した状態のクッション（１１）の等角図／平面図を示す。クッションは、この実施形態において４つの部分である、幾つかの望遠鏡式部分（１１６）を備える。
【００８５】
図３０は、クッション（１１）の側面図を示す。
【００８６】
図３１は、クッション（１１）の平面図を示す。
【００８７】
図３２は、クッション（１１）の等角図／底面図を示す。
【００８８】
図３３は、膨張した状態の３つの部分からなるクッション（１１）の断面側面図を示す。クッション（１１）は、この実施形態において３つの部分である、幾つかの望遠鏡式部分（１１６）を備える。また、アウトレット（１１８）を膨張／収縮させる、バルーン（１１７）も示される。
【００８９】
図３４は、収縮した状態の３つの部分からなるクッション（１１）の断面側面図を示す。クッション（１１）は、この実施形態において３つの部分である、幾つかの望遠鏡式部分（１１６）を備える。また、アウトレット（１１８）を膨張／収縮させる、バルーン（１１７）も示される。
【００９０】
前述のものは、本発明の範囲内にある装置及び方法のほんの一例にすぎず、様々な修正が、前述に述べられた開示を理解した後に当業者に想到されることが、認識されるであろう。
【図１Ａ】
0006614616.tif 000002
【図１Ｂ】
0006614616.tif 000003
【図２Ａ】
0006614616.tif 000004
【図２Ｂ】
0006614616.tif 000005
【図３】
0006614616.tif 000006
【図４】
0006614616.tif 000007
【図５】
0006614616.tif 000008
【図６】
0006614616.tif 000009
【図７】
0006614616.tif 000010
【図８】
0006614616.tif 000011
【図９】
0006614616.tif 000012
【図１０】
0006614616.tif 000013
【図１１】
0006614616.tif 000014
【図１２】
0006614616.tif 000015
【図１３】
0006614616.tif 000016
【図１４】
0006614616.tif 000017
【図１５】
0006614616.tif 000018
【図１６】
0006614616.tif 000019
【図１７】
0006614616.tif 000020
【図１８】
0006614616.tif 000021
【図１９】
0006614616.tif 000022
【図２０】
0006614616.tif 000023
【図２１】
0006614616.tif 000024
【図２２】
0006614616.tif 000025
【図２３】
0006614616.tif 000026
【図２４】
0006614616.tif 000027
【図２５】
0006614616.tif 000028
【図２６】
0006614616.tif 000029
【図２７】
0006614616.tif 000030
【図２８】
0006614616.tif 000031
【図２９】
0006614616.tif 000032
【図３０】
0006614616.tif 000033
【図３１】
0006614616.tif 000034
【図３２】
0006614616.tif 000035
【図３３】
0006614616.tif 000036
【図３４】
0006614616.tif 000037